(57)【要約】      （修正有）【課題】「糸吊りゴト」と呼ばれる不正遊技を確実に防止することができる遊技球戻り防止弁を提供する。【解決手段】遊技盤の内レールの先端部に取り付けられる遊技球戻り防止弁であって、中心軸１４に揺動自在に設けられた弁体１５を備える。弁体１５の先端部には弁体１５の幅方向の傾斜面１９が形成されており、さらにこの弁体１５の側方には、傾斜面１９に沿ってガイドされてきた糸を挟み込む弾性体２１を配置したものである。弾性体２１はウレタン樹脂板とすることができる。【選択図】図３
2019017630.tif 000002
【特許請求の範囲】
【請求項１】
遊技盤の内レールの先端部に取り付けられる遊技球戻り防止弁であって、この遊技球戻り防止弁は、中心軸に揺動自在に設けられた弁体を備え、この弁体の先端部には弁体の幅方向の傾斜面が形成されており、さらにこの弁体の側方には、前記傾斜面に沿ってガイドされてきた糸を挟み込む弾性体を配置したことを特徴とする遊技球戻り防止弁。
【請求項２】
弁体の先端の傾斜面が、一方向または二方向に形成されていることを特徴とする請求項１に記載の遊技球戻り防止弁。
【請求項３】
弾性体が、ウレタン樹脂板からなることを特徴とする請求項１または２に記載の遊技球戻り防止弁。
【請求項４】
弾性体が、ウレタン樹脂板と板ばねとからなることを特徴とする請求項１または２に記載の遊技球戻り防止弁。
【発明の詳細な説明】
【技術分野】
【０００１】
本発明は、パチンコ遊技機に用いられる遊技球戻り防止弁に関するものであり、更に詳細には、「糸吊りゴト」と呼ばれる不正遊技を防止することができる遊技球戻り防止弁に関するものである。
【背景技術】
【０００２】
「糸吊りゴト」と呼ばれる不正遊技は、パチンコの球に釣り糸のような丈夫な糸の一端を固定し、糸の他端を手元に保持したまま糸にゆとりを持たせて球をパチンコ遊技機に送り込み、糸付きの球を発射させて遊技領域に到達させる方法で行われる。球は盤面に糸で吊り下げられた状態となるので、外部から糸を操作して入賞口の球検出センサの位置で球を上下動させると、球検出センサを誤作動させることが可能となり、不正に賞球を得ることができる。
【０００３】
この「糸吊りゴト」を防止するために、パチンコ遊技機には従来から様々な対策が講じられてきた。その対策は主として、糸を切断する方法と、糸を挟んで動けなくする方法に大別される。
【０００４】
例えば特許文献１には、球発射経路に糸切部材を配置し、糸をＶ溝に導いて切断する構造が開示されている。また特許文献２には、球発射部に糸を挟み込むＶカット部を設け、糸をＶカット部の摩擦によって操作不能とする構造が開示されている。
【０００５】
しかし糸を切断する構造は、丈夫な釣り糸やピアノ線のように糸の強度が高い場合には、確実に切断できない場合がある。また球発射装置の近傍に挟み込み部を設けたものは、不正遊技者が操作する側の糸の端部から挟み込み部までの距離が近いため、糸が挟み込み部から外れてしまうおそれがあった。
【先行技術文献】
【特許文献】
【０００６】
【特許文献１】特開２０１３−１４４００７号公報
【特許文献２】特開２０１４−１８８０７２号公報
【発明の概要】
【発明が解決しようとする課題】
【０００７】
従って本発明の目的は上記した従来の問題点を解決し、「糸吊りゴト」と呼ばれる不正遊技を確実に防止することができる技術を提供することである。
【課題を解決するための手段】
【０００８】
上記の課題を解決するためになされた本発明は、遊技盤の内レールの先端部に取り付けられる遊技球戻り防止弁であって、この遊技球戻り防止弁は、中心軸に揺動自在に設けられた弁体を備え、この弁体の先端部には弁体の幅方向の傾斜面が形成されており、さらにこの弁体の側方には、前記傾斜面に沿ってガイドされてきた糸を挟み込む弾性体を配置したことを特徴とするものである。
【０００９】
なお、弁体の先端の傾斜面が、一方向または二方向に形成されている構造とすることができる。また、弾性体をウレタン樹脂板とすることができる。また、弾性体をウレタン樹脂板と板ばねとからなるものとすることができる。
【発明の効果】
【００１０】
本発明においては、遊技盤の内レールの先端部に取り付けられる遊技球戻り防止弁を「糸吊りゴト」の防止に用いる。本発明は糸を挟んで動けなくする方法に属するものであるが、本発明の遊技球戻り防止弁は不正遊技者から見て最も下流側に設けられているため、不正遊技者が挟み込みを解除しようとしても容易に外れることがない。しかも糸の付いた球が確実に遊技領域に残るので、「糸吊りゴト」の痕跡が明確となり、不正を早期に発見することができる。
【００１１】
なお、弾性体をウレタン樹脂板と板ばねとからなるものとすれば、生産上の組み付け誤差が多少あっても、板ばねの弾力を利用して確実に糸を挟み込むことができる。
【図面の簡単な説明】
【００１２】
【図１】遊技盤の斜視図である。
【図２】第１の実施形態の遊技球戻り防止弁の拡大斜視図である。
【図３】第１の実施形態の遊技球戻り防止弁の分解斜視図である。
【図４】糸が挟まった状態を示す拡大斜視図である。
【図５】第２の実施形態の遊技球戻り防止弁の拡大斜視図である。
【図６】図５の中心軸に沿った断面図である。
【図７】第２の実施形態の遊技球戻り防止弁の分解斜視図である。
【発明を実施するための形態】
【００１３】
（第１の実施形態）
以下に本発明の好ましい実施形態を説明する。
図１は遊技盤の斜視図であり、１は遊技盤の片側に配置された内レール、２は外レール、３は内レール１の内側に形成された遊技領域である。４は内レール１と外レール２との間に形成される球発射経路であり、その下部から球発射経路４に向かって発射された球は内レール１の先端から天釘５に向かって飛び出し、遊技領域３内を落下することは従来と同様である。
【００１４】
この内レール１の先端には、遊技球戻り防止弁１０が取り付けられている。遊技球戻り防止弁１０は、発射された球が跳ね返って球発射経路４内に進入することを防止するための一方向弁である。従来の遊技球戻り防止弁は板ばね状の弾性変形可能な構造であり、球発射経路４から遊技領域３に向かっては球は弁体を開いて飛び出すことができるが、逆に遊技領域３から球発射経路４に向かっては、球は弁体に阻止されて進入できないようになっている。
【００１５】
しかし本発明の遊技球戻り防止弁１０は、「糸吊りゴト」の防止機能を発揮させるために、以下に説明する構造を備えている。以下の説明では、盤面側、遊技者側との言葉によって、遊技者から見て奥側と手前側を表現する。
【００１６】
図２は第１の実施形態の遊技球戻り防止弁１０の拡大斜視図、図３はその分解斜視図である。これらの図において、１１は内レール１の先端にねじ９によって固定される樹脂製のケースであり、遊技者側ケース１２と盤面側ケース１３とからなる。なお図３には遊技者側ケース１２のみが図示されている。
【００１７】
ケース１１には中心軸１４が支持されている。この中心軸１４は盤面に対して垂直であり、この中心軸１４には弁体１５が揺動自在に設けられている。弁体１５の基部には中心軸１４を貫通させるための貫通孔１６のほか、重り１７を収納するための重り収納孔１８が形成されている。
【００１８】
図３に示すように、弁体１５は平板状であり、その先端部が弁体の幅方向の傾斜面１９となっている。この実施形態では傾斜面１９は盤面側が高く、遊技者側が低くなるように一方向に傾斜した片流れ状である。前記した盤面側ケース１３には扇形の開口２０が形成されており、その内部に弁体１５の端部が入っているので、弁体１５の揺動範囲はこの扇形の開口２０によって規制されている。
【００１９】
図３に示すように、この弁体１５の遊技者側の側方には糸を挟み込むための弾性体２１が配置されている。この実施形態では弾性体２１はウレタン樹脂板からなり、中心軸１４上に配置されている。ウレタン樹脂板は好ましい硬さと弾性を備えており、糸を内レール側ケース１２との間に確実に挟むことができる。なお弾性体２１としてはゴムなどの他の材質を用いることも可能である。
【００２０】
このように構成された遊技球戻り防止弁１０は、通常の遊技の際には図２に示されるように重り１７によって弁体１５が上方に立った位置にあり、発射された球は弁体１５に当たり弁体１５を僅かに回転させながら、遊技領域３に飛び込む。また弁体１５は図２の位置よりも反時計側には回転できないので、遊技領域３から跳ね返ってきた球が球発射経路４に戻ることを防止することができる。
【００２１】
しかし「糸吊りゴト」が行われた場合には、図４に示すように球３０に糸３１が付いているので、球３０の重量によって弁体１５は扇形の開口２０の端部まで開いた状態となる。また糸３１には張力が作用するので、糸３１は弁体１５の先端部の弁体の幅方向の傾斜面１９に沿って滑って遊技者側に移動し、傾斜面１９の先端から落下して弾性体２１と内レール側ケース１２との間に嵌り込み、挟み込まれる。
【００２２】
このため糸３１を操作して球３０を上下させる「糸吊りゴト」操作を行うことができなくなる。しかも糸３１は遊技者から見て最も下流側の位置の内レール１の先端部で挟まれるので、不正遊技者が挟み込みを解除しようとしても容易に外れることがない。
【００２３】
（第２の実施形態）
次に、第２の実施形態の遊技球戻り防止弁５０について説明する。
図５は第２の実施形態の遊技球戻り防止弁５０の拡大斜視図、図６はその中心軸に沿った断面図、図７はその分解斜視図である。
【００２４】
これらの図において、５１は盤面側ケース、５２は遊技者側ケースである。盤面側ケース５１の中央部には軸受け部５３が形成されている。またその周囲には遊技者側に向かって延びる壁５４，５５が形成されており、その遊技者側端部に遊技者側ケース５２がねじ５６によって固定されている。
【００２５】
５７はこれらの盤面側ケース５１と遊技者側ケース５２との間に支持された中心軸である。この中心軸５７は盤面に対して垂直であり、この中心軸５７には弁体５８が揺動自在に設けられている。弁体５８の基部には中心軸５７を貫通させるための貫通孔５９のほか、重り６０を収納するための重り収納孔６１が形成されている。この重り６０によって弁体５８は図５に示す上方に立った位置にある。
【００２６】
弁体５８の先端部は弁体の幅方向の傾斜面６２となっているが、第１の実施形態とは異なり、逆Ｖ字状となって両側が低くなるように傾斜している。
【００２７】
図７に示すように、弁体５８の両側には、弾性体６３と、樹脂板６４とが設けられている。弾性体６３は第１の実施形態と同様のウレタン樹脂板である。樹脂板６４は図６に示すように弾性体６３の内側に隣接配置されるもので、弾性体６３側に傾斜面６５が形成され、糸をこの傾斜面６５によってガイドし、弾性体６３との間に挟み込むようになっている。これらは中心軸５７に取り付けられている。
【００２８】
この実施形態では、さらに板ばね６６が設けられている。この板ばね６６は両端にリング部６７を備え、中心軸５７に取り付けられている。これらのリング部５７は図６に示すように樹脂板６４の内側に位置し、両端の樹脂板６４を外側に、すなわち弾性体６３の方向に押し付けている。しかし弁体５８に対しては力を及ぼすものではない。
【００２９】
このように構成された第２の実施形態の遊技球戻り防止弁５０は、通常の遊技に対しては単に戻り球防止機能を発揮するだけであるが、「糸吊りゴト」が行われた場合には、糸を傾斜面６５によってガイドし、弾性体６３との間に挟み込む。第２の実施形態では弁体５８の両側に傾斜面６５が形成されているので、糸はいずれかの側にガイドされ、いずれかの側で弾性体６３と樹脂板６４との間で挟まれる。しかも板ばね６６が樹脂板６４を弾性体６３の方向に押し付けているため、生産上の組み付け誤差が多少あっても、確実に糸を挟み込むことができる。
【００３０】
以上に説明したように、本発明の遊技球戻り防止弁は、丈夫な糸が用いられた場合にも、「糸吊りゴト」を確実に防止することができる。
【符号の説明】
【００３１】
１  内レール
２  外レール
３  遊技領域
４  球発射経路
５  天釘
９  ねじ
１０  第１の実施形態の遊技球戻り防止弁
１１  ケース
１２  遊技者側ケース
１３  盤面側ケース
１４  中心軸
１５  弁体
１６  貫通孔
１７  重り
１８  重り収納孔
１９  傾斜面
２０  扇形の開口
２１  弾性体
３０  球
３１  糸
５０  第２の実施形態の遊技球戻り防止弁
５１  盤面側ケース
５２  遊技者側ケース
５３  軸受け部
５４  壁
５５  壁
５６  ねじ
５７  中心軸
５８  弁体
５９  貫通孔
６０  重り
６１  重り収納孔
６２  傾斜面
６３  弾性体
６４  樹脂板
６５  傾斜面
６６  板ばね
５７  リング部
【図１】
2019017630.tif 000003
【図２】
2019017630.tif 000004
【図３】
2019017630.tif 000005
【図４】
2019017630.tif 000006
【図５】
2019017630.tif 000007
【図６】
2019017630.tif 000008
【図７】
2019017630.tif 000009